(57)【要約】【課題】多数の小物を収納しても従来のように全体として嵩張って邪魔になることが無く、収納した小物同士が絡み合って取り出し難くなることが無く、また必要とする小物を素早く探し出すことが出来ると共に、収納した小物に埃等が付着することがなく、さらには多数の小物が収納された状態のまま容易に持ち運びことができる小物収納具を提供する。【解決手段】薄板状に形成した収納本体部の少なくとも表面又は裏面のいずれかの面に一又は複数の透明状ポケットを設け、該透明状ポケットの上方の収納本体部に鍔状に形成された開口部カバーの一端を固着し、該開口部カバーにて透明状ポケット開口部を被った状態に形成すると共に、該開口部カバーで透明状ポケット開口部を開閉自在に形成し、該透明状ポケット開口部の上縁は下方に凹んだ湾曲状に形成したことを特徴とする小物収納具である。【選択図】図１
2017093819.tif 000002
【特許請求の範囲】
【請求項１】
薄板状に形成した収納本体部の少なくとも表面又は裏面のいずれかの面に一又は複数の透明状ポケットを設け、該透明状ポケットの上方の収納本体部に鍔状に形成された開口部カバーの一端を固着し、該開口部カバーにて透明状ポケット開口部を被った状態に形成すると共に、該開口部カバーで透明状ポケット開口部を開閉自在に形成し、該透明状ポケット開口部の上縁は下方に凹んだ湾曲状に形成したことを特徴とする小物収納具。
【請求項２】
開口部カバーによって透明状ポケット開口部が閉状態を保持可能に開口部カバーの開閉端部を係止する係止手段を設けたことを特徴とする請求項１記載の小物収納具。
【請求項３】
透明状ポケット開口部の中央部上縁端から透明状ポケットの中央部に向かって切込みスリットを形成したことを特徴とする請求項１又は請求項２記載の小物収納具。
【請求項４】
透明状ポケット開口部の中央部上縁を上縁両側に対してさらに凹ませて形成したことを特徴とする請求項１乃至請求項３のいずれかに記載の小物収納具。
【請求項５】
収納本体部の左右いずれかの端縁沿いに複数のファイル綴じ穴を設けたことを特徴とする請求項１乃至請求項４のいずれかに記載の小物収納具。
【請求項６】
収納本体部の上端縁沿いに複数の紐通し穴を設けたことを特徴とする請求項１乃至請求項５のいずれかに記載の小物収納具。
【発明の詳細な説明】
【技術分野】
【０００１】
本発明は、アクセサリー等の小物を分け入れて収納する小物収納具に関する。
【背景技術】
【０００２】
従来、イヤリング等のアクセサリーを多種多数整理して収納するための小物物品の整理収納具が提案されている（特許文献１）。該小物物品の整理収納具は、平板状の本体に複数種の係止部を具え、且つ本体には本体係合スリットを本体の長手方向と直交する方向に形成していることを特徴とし、更に具体的には前記係止部は本体の長手方向ほぼ中心線上に複数整列的に形成される大孔係止部と、この各大孔係止部を本体の幅方向において挟むように対設されている小孔係止部と、前記大孔係止部を外端において挟むように対設されている周縁係止部とを含むことを特徴としている。
【０００３】
また、ツリー状のアクセサリー収納具として、台座の上にトレーを重ね置き、台座の中心にポールを立て、ポールの上端にフリーアームを設置し、必要に応じて多段にポールとフリーアームを設置でき、これらとは別にアクセサリー固定孔を複数設けた環状、または木の葉状等のアクセサリーリースを形成し、アクセサリーリースの複数個所に吊り掛け凹部を設け、必要に応じてアームに吊り掛けて使用するものであり、台座上のトレーやフリーアームはポールを軸にして自由に回転できることを特徴とする男女共用のアクセサリーポストが提案されている（特許文献２）。
【先行技術文献】
【特許文献】
【０００４】
【特許文献１】特開平８−１９４４１号公報
【特許文献２】特開２０１５−１６４５００号公報
【０００５】
しかしながら、特許文献１に係る小物物品の整理収納具は、段重ねの引き出し状の箱体であって、該箱体の内側に本体係合スリットが設けられた本体を井桁状に組むことによって仕切られて形成された収納部内にアクセサリーを収納し、また本体に形成された大孔係止部、小孔係止部又は周縁係止部に比較的小さなアクセサリーを係止させることによって収納するため、収納具自体が大きなものとなり、全体として嵩張って邪魔になる場合があるという課題がある。また、大きめの収納部内に複数のアクセサリーを入れると、該複数のアクセサリー同士が絡み合って取り出しにくくなるという課題がある。
【０００６】
さらには、箱体に蓋をして閉じた状態とすると、何処にどのようなアクセサリーを収納しているのかを一目で確認することが出来ず、必要とするアクセサリーを探し出すのに手間と時間が掛かるという課題がある。
【０００７】
また、特許文献２に係るアクセサリーポストは、ツリー状であってアクセサリーを吊り掛けて使用するものであるため、上記同様に全体として嵩張って邪魔になる場合があるという課題があり、またアクセサリーは出しっ放し状態と成って埃等が付着し易いという課題がある。
【０００８】
また、多数のアクセサリーが吊り掛けられた状態では、不意の天地逆転によるアクセサリーの落下や散乱が起こる場合があり、全体として持ち運ぶことが難しいという課題がある。
【発明の概要】
【発明が解決しようとする課題】
【０００９】
本発明が解決しようとする課題は、多数のアクセサリー等の小物を収納しても従来のように全体として嵩張って邪魔になることが無く、収納したアクセサリー等の小物同士が絡み合って取り出し難くなることが無く、また必要とするアクセサリー等の小物を素早く探し出すことが出来ると共に、収納したアクセサリー等の小物に埃等が付着することがなく、さらには多数のアクセサリー等の小物が収納された状態のまま容易に持ち運ぶことができる小物収納具を提供することにある。
【課題を解決するための手段】
【００１０】
請求項１記載の発明は、薄板状に形成した収納本体部の少なくとも表面又は裏面のいずれかの面に一又は複数の透明状ポケットを設け、該透明状ポケットの上方の収納本体部に鍔状に形成された開口部カバーの一端を固着し、該開口部カバーにて透明状ポケット開口部を被った状態に形成すると共に、該開口部カバーで透明状ポケット開口部を開閉自在に形成し、該透明状ポケット開口部の上縁は下方に凹んだ湾曲状に形成したことを特徴とする小物収納具を提供する。
【００１１】
また、請求項２記載の発明は、開口部カバーによって透明状ポケット開口部が閉状態を保持可能に開口部カバーの開閉端部を係止する係止手段を設けたことを特徴とする請求項１記載の小物収納具を提供する。
【００１２】
また、請求項３記載の発明は、透明状ポケット開口部の中央部上縁端から透明状ポケットの中央部に向かって切込みスリットを形成したことを特徴とする請求項１又は請求項２記載の小物収納具を提供する。
【００１３】
また、請求項４記載の発明は、透明状ポケット開口部の中央部上縁を上縁両側に対してさらに凹ませて形成したことを特徴とする請求項１乃至請求項３のいずれかに記載の小物収納具を提供する。
【００１４】
また、請求項５記載の発明は、収納本体部の左右いずれかの端縁沿いに複数のファイル綴じ穴を設けたことを特徴とする請求項１乃至請求項４のいずれかに記載の小物収納具を提供する。
【００１５】
また、請求項６記載の発明は、収納本体部の上端縁沿いに複数の紐通し穴を設けたことを特徴とする請求項１乃至請求項５のいずれかに記載の小物収納具を提供する。
【発明の効果】
【００１６】
本発明に係る小物収納具は、薄板状に形成した収納本体部の少なくとも表面又は裏面のいずれかの面に一又は複数の透明状ポケットが設けられているため、各透明状ポケットに、アクセサリー等の小物を個別に又は一対ずつ収納することが出来る効果があり、このため、アクセサリー等の小物同士が絡み合うことが無く、結果として収納したアクセサリー等の小物を素早く取り出すことが出来るという効果がある。
【００１７】
また、収納本体部は薄板状であるため、平面的であり収納具自体が全体として嵩張ることが無いという効果があり、持ち運びが容易であるという効果がある。
【００１８】
また、アクセサリー等の小物を収納する透明状ポケットは透明であるため、収納したアクセサリー等の小物は一目で外側から視認することができ、必要とするアクセサリー等の小物を素早く見つけ出すことが出来る効果がある。さらには外部から視認可能な状態で、種類別、材質別、色別、用途別、使用頻度別等にアクセサリー等の小物を各透明状ポケット内に分類収納することが出来るという効果がある。
【００１９】
また、透明状ポケット開口部には開口部カバーが開閉自在に設けられているため、アクセサリー等の小物を収納する際には開口部カバーを開状態とし、アクセサリー等の小物を収納後は開口部カバーを閉状態とすることで、収納されたアクセサリー等の小物に埃等が付着することが無いという効果がある。
【００２０】
また、アクセサリー等の小物が収納された透明状ポケットは開口部カバーによって閉じることが出来るため、不意の天地逆転によるアクセサリー等の小物の落下や散乱を防止することができるという効果がある。
【００２１】
また、透明状ポケット開口部の上縁は下方に凹んだ湾曲状に形成されているため、透明状ポケット開口部上縁を手の指で引っ掛けて容易に開口し易い効果があり、結果として容易にアクセサリー等の小物を透明状ポケット内に収納することが出来るという効果がある。
【００２２】
また、請求項２に記載の小物収納具は、開口部カバーの開閉端部を係止する係止手段が設けられているため、該開口部カバーによって透明状ポケット開口部が閉状態を保持することが出来、不意の天地逆転によるアクセサリー等の小物の落下や散乱の防止が確実に成されるという効果がある。
【００２３】
また、請求項３記載の小物収納具は、透明状ポケット開口部の中央部上縁端から透明状ポケットの中央部に向かって切込みスリットが形成されているため、透明状ポケットにアクセサリー等の小物を収納する際に、透明状ポケット開口部は切込みスリットによる分だけ大きく開口することになり、よりスムーズに透明状ポケット内にアクセサリー等の小物を収納させることが出来るという効果がある。
【００２４】
また、請求項４記載の小物収納具は、透明状ポケット開口部の中央部上縁が上縁両側に対してさらに凹ませて形成されているため、例え透明状ポケット開口部の中央部上縁が収納本体部に密着状態にあっても、手の指を該凹んだ中央部上縁に引っ掛けて、大きく開口させることが出来る効果があり、アクセサリー等の小物の透明状ポケット内への収納を容易に行うことが出来るという効果がある。
【００２５】
また、請求項５記載の小物収納具は、複数の小物収納具のファイル綴じ穴を一の綴じ紐等で縛ることにより一体とさせることが出来る効果があり、一体化させた複数枚の小物収納具に収納されたアクセサリー等の小物は、ページをめくるようにして、容易に探し出すことが出来る効果がある。
【００２６】
また、請求項６記載の小物収納具は、収納本体部の上端縁沿いに複数の紐通し穴が設けられているため、該紐通し穴に紐を通して、該紐をループとすれば、壁等に突設された金具等に容易に該小物収納具を懸垂保持させることが出来る効果がある。アクセサリー等の小物が収納された小物収納具を壁に懸垂保持させれば、収納されたアクセサリー等の小物は透明状ポケットを透して外部から視認することが出来るため、インテリアとして見て楽しむことが出来る効果がある。
【図面の簡単な説明】
【００２７】
【図１】本発明に係る小物収納具の一実施例の全体斜視図である。
【図２】本発明に係る小物収納具の開口部カバーの開閉端部を係止する係止手段が留め帯であることを示す状態斜視図である。
【図３】図２に係る開口部カバーの開閉端部と留め帯との係止を解いて開口部カバーを開き、透明状ポケット開口部が開状態と成っていることを示す状態斜視図である。
【図４】本発明に係る小物収納具の開口部カバーの開閉端部を係止する係止手段が面ファスナーであることを示す状態斜視図である。
【図５】図４に係る開口部カバーが開き、透明状ポケット開口部が開状態と成っていることを示す状態斜視図である。
【図６】本発明に係る小物収納具の透明状ポケットにネックレス等の長物を収納する際に、透明状ポケット内に挿入することが出来る台紙を示し、該台紙にネックレス等の長物が係止されている状態を示す状態斜視図である。
【発明を実施するための形態】
【００２８】
次に本発明に係る小物収納具を実施するための形態に関し、図１乃至図６に基づき詳細に説明する。
【００２９】
図１は、本発明に係る小物収納具１の一実施例であって、薄板状に形成した収納本体部２の表面２ａに四つの透明状ポケット３、４、５、６が設けられている。本実施例において収納本体部２は矩形に形成しているが、薄板状であればどのような形状であっても良い。また収納本体部２の材質は、透明状ポケット３、４、５、６にアクセサリー等の小物を収納した際に、大きく変形しなければ、アクリル、ポリエステル等の合成樹脂製であっても、金属製や木製等であっても良く、極めて薄いシート状態であっても良い。
【００３０】
また、図１に示す実施例においては、透明状ポケット３、４、５、６は薄板状の収納本体部２の表面２ａに設けているが、収納本体部２の裏面に設けても、表面２ａ及び裏面の両面に設けても良く、収納本体部２の表面には手触り感をソフトにするため、ビロード等の布等を貼り付けても良い。
【００３１】
透明状ポケットは本実施例では四つ設けているが、収納しようとする小物の大きさに合わせて、一つであっても五以上であっても良い。
【００３２】
透明状ポケット３の透明状ポケット開口部３ａの上縁３ｂは下方に凹んだ湾曲状に形成され、透明状ポケット４は、さらに透明状ポケット開口部４ａの中央部上縁端４ｂから透明状ポケット４の中央部４ｃに向かって切込みスリット４ｄが形成されている。透明状ポケット開口部３ａの上縁３ｂを下方に凹んだ湾曲状に形成することで該上縁３ｂを指で引っ掛け易くなり、このため透明状ポケット３の透明状ポケット開口部３ａを開いてアクセサリー等の小物を透明状ポケット３内に収納しやすく成る。
【００３３】
また、透明状ポケット４に切込みスリット４ｄを設けることにより、透明状ポケット開口部４ａを開く際、より大きく透明状ポケット開口部４ａを開くことが出来、よりスムーズに透明状ポケット４内にアクセサリー等の小物を収納させることが出来るように成っている。
【００３４】
透明状ポケット５は透明状ポケット３の構成に加えて、透明状ポケット開口部５ａの中央部上縁５ｂを上縁両側５ｃに対してさらに凹ませて形成されていて、透明状ポケット６は、さらに透明状ポケット開口部６ａの中央部上縁端６ｂから透明状ポケット６の中央部６ｃに向かって切込みスリット６ｄが形成されている。透明状ポケット開口部５ａの中央部上縁５ｂを上縁両側５ｃに対してさらに凹ませて形成することにより、例え透明状ポケット開口部５ａの中央部上縁５ｂが収納本体部２に密着状態にあっても、手の指を該凹んだ中央部上縁５ｂに引っ掛けて、大きく開口させることが出来、アクセサリー等の小物の透明状ポケット５内への収納をさらに容易に行うことが出来るように成っている。
【００３５】
また、透明状ポケット６に切込みスリット６ｄを設けることにより、透明状ポケット開口部６ａを開く際、より大きく透明状ポケット開口部６ａを開くことが出来、よりスムーズに透明状ポケット６内にアクセサリー等の小物を収納させることが出来るように成っている。
【００３６】
透明状ポケット３、４、５、６を形成する素材は、ポケット内に収納されたアクセサリー等の小物を視認することが出来る程度に透明状であれば良く、透明から半透明のフィルムであっても、メッシュ状であっても良い。また、ポケット内にアクセサリー等の小物を収納することが出来れば、その素材の弾性変形の有無は問われない。
【００３７】
透明状ポケット３、４、５、６のそれぞれの上方の収納本体部２の表面には、鍔状に形成された開口部カバー７、８、９、１０の一端７ａ、８ａ、９ａ、１０ａが略水平状に固着され、該開口部カバー７、８、９、１０にて透明状ポケット開口部３ａ、４ａ、５ａ、６ａが被われると共に、該透明状ポケット開口部３ａ、４ａ、５ａ、６ａを開閉自在に形成している。なお、図１において開口部カバー７、８、９、１０は一点鎖線にて示している。
【００３８】
図１において、収納部本体部２の左の端縁沿い２ｂには二つのファイル綴じ穴１１が設けられていて、複数の本発明に係る小物収納部１を重ねて、綴じ紐等（図示せず）をファイル綴じ穴１１に通して結び留めて一体化させることが出来るように成っている。なお、ファイル綴じ穴１１は収納本体部２の右の端縁沿いに設けても良いのは勿論である。
【００３９】
また、収納本体部２の上端縁沿い２ｃには二つの紐通し穴１２が設けられていて、該紐通し穴１２に一本の紐（図示せず）を通してループとすれば、壁等に突設された金具等に容易に該小物収納具１を懸垂保持させることが出来るように成っている。
【００４０】
次に図２及び図３について説明する。
【００４１】
図２及び図３において２２は、透明状ポケット２０の透明状ポケット開口部２０ａを開口部カバー２１によって閉状態に保持するため、開口部カバー２１の開閉端部２１ａを係止する係止手段である細帯状の留め帯であり、該留め帯２２の両端部２２ａは透明状ポケット２０の左右両外側の収納本体部２に固着されている。該留め帯２２と透明状ポケット２０の間に開口部カバー２１の開閉端部２１ａが挿入された状態が図２であり、この状態で透明状ポケット開口部２０ａは開口部カバー２１によって閉状態を保持されている。
【００４２】
また、図３は開口部カバー２１の開閉端部２１ａを留め帯２２から外した状態を示し、この状態で透明状ポケット開口部２０ａを開状態とすることが出来、アクセサリー等の小物を透明状ポケット２０に収納し又は透明状ポケット２０から取り出すことが出来る。
【００４３】
図４及び図５は、上記留め帯２２に代えて、上記係止手段として一対の面ファスナー３２、３３を設けた透明状ポケット３０及び開口部カバー３１を示していて、面ファスナー３２は透明状ポケット３０の表面３０ｂに固着され、面ファスナー３３は開口部カバー３１の裏面３１ａに固着されている。
【００４４】
図４は、一対の面ファスナー３２、３３が係着している状態を示し、透明状ポケット３０の透明状ポケット開口部３０ａは開口部カバー３１によって閉状態となって保持されている。
【００４５】
図５は、一対の面ファスナー３２、３３の係着が解かれている状態を示し、透明状ポケット３０の透明状ポケット開口部３０ａを開状態とすることが出来、アクセサリー等の小物を透明状ポケット３０に収納し又は透明状ポケット３０から取り出すことが出来る。なお、係止手段としての面ファスナー３２、３３に代えてホック、ハトメスナップ、ボタン等を使用しても良いし、他のどのような係止手段であっても良い。
【００４６】
図６は、透明状ポケットに挿入することが可能であり、且つネックレス等の長物５０を懸架させることが出来る台紙４０を示し、該台紙４０には、ネックレス等の長物５０を懸架させる突片４０ａが形成されている。図６では、台紙４０の上部の中央部分に下に湾曲した半円状に切込みを入れ、略水平方向を折り曲げ線として下から上方向に折り曲げることにより突片４０ａを形成している。該突片４０ａは他の形状（例えば三角形や四角形等）であっても良い。
【００４７】
該台紙４０は、縦長に形成された透明状ポケット内に挿入され、ネックレス等の長物５０は突片４０ａに懸架して透明状ポケット内に収納されることになる。
【００４８】
以上ように、本発明に係る小物収納具の透明状ポケットには、イヤリング、ブローチ、ペンダントトップ、ネックレス等のアクセサリーを収納出来るだけでなく、カラーピン止めやカラーゴム等のヘアーグッズ類、ボタンやホック等の手芸品、クリップやピン等の文房具類、ネジやクギ等の工具類、レシートや領収書等の書類、金額別に分類した切手類、ピンバッジ、おみやげキーホルダー、鮎の友釣り用等のルアーや重り等の魚釣り用具類、病院等のカード類や綿棒や絆創膏、軟膏チューブ等の医薬品類、服用薬の複数種類の分別や、一日分あるいは朝昼夜等に小分け分類等するのにも適し、その他、小物類等の収納に極めて有用な小物収納具である。
【符号の説明】
【００４９】
１  小物収納具
２  収納本体部
２ａ  表面
２ｂ  端縁沿い
２ｃ  上端縁沿い
３  透明状ポケット
３ａ  透明状ポケット開口部
３ｂ  上縁
４  透明状ポケット
４ａ  透明状ポケット開口部
４ｂ  中央部上縁端
４ｃ  中央部
４ｄ  切込みスリット
５  透明状ポケット
５ａ  透明状ポケット開口部
５ｂ  中央部上縁
５ｃ  上縁両側
６  透明状ポケット
６ａ  透明状ポケット開口部
６ｂ  中央部上縁端
６ｃ  中央う
６ｄ  切込みスリット
７  開口部カバー
７ａ  一端
８  開口部カバー
８ａ  一端
９  開口部カバー
９ａ  一端
１０  開口部カバー
１０ａ  一端
１１  ファイル綴じ穴
１２  紐通し穴
２０  透明状ポケット
２０ａ  透明状ポケット開口部
２１  開口部カバー
２１ａ  開閉端部
２２  留め帯
２２ａ  両端部
３０  透明状ポケット
３０ａ  透明状ポケット開口部
３０ｂ  表面
３０ｃ  裏面
３１  開口部カバー
３２  面ファスナー
３３  面ファスナー
４０  台紙
４０ａ  突片
５０  ネックレス等の長物
【図１】
2017093819.tif 000003
【図２】
2017093819.tif 000004
【図３】
2017093819.tif 000005
【図４】
2017093819.tif 000006
【図５】
2017093819.tif 000007
【図６】
2017093819.tif 000008